(57)【要約】【課題】  本発明は配線器具をカバー体にビス止めすると、該ビスの先端部をカバーチューブ内に入り込ませて、従来のようにビスの先端部が配線ボックス内のケーブルに押し当たるのを阻止し、ケーブルを損傷させるのを確実に阻止することができる配線ボックスを得るにある。【解決手段】  側壁にケーブル挿入孔あるいはケーブル挿入孔を形成することができるノック穴のいずれか一方、あるいは両方が形成された配線ボックス本体と、この配線ボックス本体の上部開口部に一体あるいは固定状態で取付けられた配線器具を取付けるためのビス挿入孔が形成された、少なくとも２個以上の取付け部を有するカバー体と、このカバー体の少なくとも２個以上の取付け部にそれぞれ取付けられた、該取付け部にねじ込まれるビスの先端部を覆い、前記配線ボックス本体内のケーブルの損傷を防止するカバーチューブとで配線ボックスを構成している。【選択図】  図１０
2016046933.tif 000002
【特許請求の範囲】
【請求項１】
側壁にケーブル挿入孔あるいはケーブル挿入孔を形成することができるノック穴のいずれか一方、あるいは両方が形成された配線ボックス本体と、この配線ボックス本体の上部開口部に一体あるいは固定状態で取付けられた配線器具を取付けるためのビス挿入孔が形成された、少なくとも２個以上の取付け部を有するカバー体と、このカバー体の少なくとも２個以上の取付け部にそれぞれ取付けられた、該取付け部にねじ込まれるビスの先端部を覆い、前記配線ボックス本体内のケーブルの損傷を防止するカバーチューブとからなることを特徴とする配線ボックス。
【請求項２】
カバー体の少なくとも２個以上の取付け部にそれぞれ形成された、カバーチューブの上部をビス挿入孔と連通するように挟着する挟着片と、この挟着片に挟着される上部に係止片が形成されたカバーチューブが用いられていることを特徴とする請求項１記載の配線ボックス。
【請求項３】
カバー体の少なくとも２個以上の取付け部にそれぞれ形成された、上部が拡開したカバーチューブの上部を挟着する挟着片と、前記カバーチューブの上部の拡開部と前記取付け部の接触部を接着固定する接着剤とでカバーチューブを取付け部に取付けたことを特徴とする請求項１記載の配線ボックス。
【請求項４】
カバー体の少なくとも２個以上の取付け部にそれぞれ形成された、上部が拡開したカバーチューブの上部を挟着する挟着片でカバーチューブを取付けたことを特徴とする請求項１記載の配線ボックス。
【請求項５】
カバー体の少なくとも２個以上の取付け部にそれぞれ取付けられるカバーチューブは接着剤で固定、あるいは前記少なくとも２個以上の取付け部の底面にねじ部を形成し、該ねじ部にカバーチューブの上部を螺合固定したことを特徴とする請求項１記載の配線ボックス。
【発明の詳細な説明】
【技術分野】
【０００１】
本発明はスイッチやコンセント等の配線器具を取付けるための壁面内等に設置される配線ボックスに関する。
【背景技術】
【０００２】
従来の配線ボックスは、側壁にケーブル挿入孔が形成された配線ボックス本体と、この配線ボックス本体の上部開口部に取付けられた配線器具を取付けるためのビス孔が形成された、少なくとも２個以上の取付け部を有するカバー体とで構成されている。
【０００３】
このように構成された配線ボックスは、配線ボックス本体のケーブル挿入孔より内部に挿入されたケーブルを配線器具に配線した後、配線器具をカバー体の少なくとも２個以上の取付け部のねじ孔にビスを螺合して固定している。
【０００４】
この配線器具をカバー体に固定する時に、ビスの先端部が取付け部より配線ボックス本体内へ突出し、該配線ボックス本体内のケーブルを損傷させたりして、漏電、短絡(ショート)が発生し、火災の原因になるという大きな欠点があった。
【先行技術文献】
【特許文献】
【０００５】
【特許文献１】特開２０１０−２８８４０１号公報
【特許文献２】特開２００８−６１４９９号公報
【発明の概要】
【発明が解決しようとする課題】
【０００６】
本発明は以上のような従来の欠点に鑑み、配線器具をカバー体にビス止めすると、該ビスの先端部をカバーチューブ内に入り込ませて、従来のようにビスの先端部が配線ボックス内のケーブルに押し当たるのを阻止し、ケーブルを損傷させるのを確実に阻止することができる配線ボックスを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は側壁にケーブル挿入孔あるいはケーブル挿入孔を形成することができるノック穴のいずれか一方、あるいは両方が形成された配線ボックス本体と、この配線ボックス本体の上部開口部に一体あるいは固定状態で取付けられた配線器具を取付けるためのビス挿入孔が形成された、少なくとも２個以上の取付け部を有するカバー体と、このカバー体の少なくとも２個以上の取付け部にそれぞれ取付けられた、該取付け部にねじ込まれるビスの先端部を覆い、前記配線ボックス本体内のケーブルの損傷を防止するカバーチューブとで配線ボックスを構成している。
【発明の効果】
【０００９】
以上の説明から明らかなように、本発明にあっては次に列挙する効果が得られる。
（１）請求項１により、配線器具をカバー体に取付けるためにビスをカバー体の取付け部のねじ孔に螺合させると、ビスの先端部を、カバーチューブ内を移動させることができる。
したがって、従来のように配線器具を固定するビスの先端部によって、ケーブルを損傷させたりして、漏電、短絡(ショート) が発生し、火災の原因となったりするのを確実に防止できる。
（２）前記（１）により、カバー体の少なくとも２個以上の取付け部にカバーチューブを取付けるだけでよいので、比較的に楽に実施することができるとともに、配線ボックス本体にカバーチューブを取付けるための加工が不要で、安価に製造することができる。
（３）請求項２も前記（１）、（２）と同様な効果が得られるとともに、カバーチューブをカバー体の取付け部に確実に固定することができる。
（４）請求項３、４も前記（１）、（２）と同様な効果が得られる。
【図面の簡単な説明】
【００１０】
【図１】本発明を実施するための第１の形態の正面図。
【図２】図１の２−２線に沿う断面図。
【図３】本発明を実施するための第１の形態の配線ボックス本体の正面図。
【図４】図３の４−４線に沿う断面図。
【図５】本発明を実施するための第１の形態のカバー体の正面図。
【図６】図５の６−６線に沿う断面図。
【図７】本発明を実施するための第１の形態のカバーチューブを取付けたカバー体の平面図。
【図８】本発明を実施するための第１の形態のカバーチューブを取付けたカバー体の側面図。
【図９】本発明を実施するための第１の形態の配線器具を取付けた状態の正面図。
【図１０】図９の１０−１０線に沿う断面図。
【図１１】本発明を実施するための第２の形態の正面図。
【図１２】図１１の１２−１２線に沿う断面図。
【図１３】本発明を実施するための第２の形態の配線器具を取付けた状態の断面図。
【図１４】本発明を実施するための第３の形態の正面図。
【図１５】図１４の１５−１５線に沿う断面図。
【図１６】本発明を実施するための第３の形態の配線器具を取付けた状態の断面図。
【図１７】本発明を実施するための第４の形態の正面図。
【図１８】図１７の１８−１８線に沿う断面図。
【図１９】本発明を実施するための第４の形態の配線器具を取付けた状態の断面図。
【図２０】本発明を実施するための第５の形態の正面図。
【図２１】図２０の２１−２１線に沿う断面図。
【図２２】一対のコ字状の挟着片の説明図。
【図２３】一対の係止片が形成されたカバーチューブの説明図。
【図２４】本発明を実施するための第６の形態の正面図。
【図２５】図２４の２５−２５線に沿う断面図。
【図２６】仕切り壁の平面図。
【図２７】仕切り壁の側面図。
【図２８】本発明を実施するための第７の形態の正面図。
【図２９】図２８の２９−２９線に沿う断面図。
【図３０】異なる仕切り壁の平面図。
【図３１】異なる仕切り壁の側面図。
【発明を実施するための形態】
【００１１】
以下、図面に示す本発明を実施するための形態により、本発明を詳細に説明する。
【００１２】
図１ないし図１０に示す本発明を実施するための第１の形態において、１は本発明の配線ボックスで、この配線ボックス１は側壁２ａ、２ａ、２ａ、２ａにケーブル挿入孔を形成することができる、外周部が肉薄部２ｂで接続されたノック穴３、３、３、３が形成され、底面に複数個のビス挿入孔４が形成された正方形箱状の金属材製の配線ボックス本体５と、この配線ボックス本体５の上部開口部５ａ側に内側へ突出するようにねじ孔６が形成されたカバー取付け片７、７と、このカバー取付け片７、７に前記配線ボックス本体５の上部開口部５ａの端部と当接するようにビス８、８で取付けられるビス挿入孔９、９が形成された、枠状で金属材製のカバー体１０と、このカバー体１０の対向する中央位置に形成した配線器具を取付けるための中央上面が低くなる傾斜面となるビス挿入孔１１が形成された配線器具取付け片１２、１２と、この配線器具取付け片１２、１２の下面に接着剤１３で接着固定された上部が拡開したカバーチューブ１４、１４と、前記配線器具取付け片１２、１２の両端部より外方へ突出し、ニッパー等の工具で挟んで曲げることにより、前記カバーチューブ１４、１４の上部を挟着することができるカバーチューブ挟着片１５、１５と、前記配線器具取付け片１２、１２の上面に接着固定されたドーナツ状の検出用の磁石１６、１６とで構成されている。
【００１３】
上記構成の配線ボックス１はあらかじめ使用する部位のノック穴３をドライバー等で開口してケーブル挿入孔３Ａを形成しておき、図９に示すように配線ボックス１を埋設する部位の建物の設置部１７に配線ボックス本体５の底面の複数個のビス挿入孔４、４、４、４に挿入したビス１８、１８、１８、１８によりビス止め固定する。
【００１４】
なお、配線ボックス本体５を建物の設置部１７に設置する前後に、配線ボックス本体５で配線する電線ケーブル１９の端部を内部に収納する。
【００１５】
この時、配線ボックス本体５のケーブル挿入孔３Ａには可撓管２０を取付けた耐火コネクタ２１を用いて配線するとともに、カバー体１０を、ビス挿入孔９、９を用いてビス８、８でビス止め固定しておく。
【００１６】
この状態で配線ボックス１は壁板２２で覆われる作業が行われる。
この作業後に、壁板２２上より、壁板２２で埋設された配線ボックス１を、当該発明者が考え、製造された配線ボックス検出器等でドーナツ状の磁石１６、１６の位置を検出し、該検出した位置を、当該発明者が考え、製造した配線ボックス用穴明け治具であるボックスホールカッター等を用いて壁板２２に孔２３を形成し、配線ボックス１内の電線ケーブル１９と配線器具２４とを配線した後、配線器具２４のビス１８、１８をカバー体１０の配線器具取付け片１２、１２のビス挿入孔１１、１１に螺合させて固定する。
【００１７】
この時、カバー体１０の配線器具取付け片１２、１２のビス挿入孔１１，１１を通過するビス１８、１８の先端部は、自動的にカバーチューブ１４、１４内へ入って進入するため、配線ボックス本体５内の電線ケーブル１９に接触することなく、ビス１８、１８による電線ケーブル１９の損傷を確実に防止することができる。
【００１８】
[発明を実施するための異なる形態]
次に、図１１ないし図３１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図１１ないし図１３に示す本発明を実施するための第２の形態において、前記本発明を実施するための第１の形態と主に異なる点は、三辺の上端部を内側に折り曲げるとともに、一側部を覆う溶接等で固定される側壁２ａおよび、その上端部を内側に折り曲げて配線ボックス本体５Ａとカバー体１０Ａを一体に形成するとともに、ビス挿入孔１１、１１が形成された配線器具取付け片１２、１２の下面にカバーチューブ挟着片１５、１５でカバーチューブ１４、１４の上部を挟着固定した点で、このように構成した配線ボックス１Ａにしても、前記本発明を実施するための第１の形態と同様な作用効果が得られる。
【００２０】
図１４ないし図１６に示す本発明を実施するための第３の形態において、前記本発明を実施するための第１の形態と主に異なる点は、２個用の配線ボックス本体５Ｂと、この配線ボックス本体５Ｂの開口部５ｂの外周部を覆う２個用のカバー体１０Ｂと、この２個用のカバー体１０Ｂのビス挿入孔１１が形成された配線器具取付け片１２、１２、１２、１２の下面に接着剤１３でカバーチューブ１４、１４、１４、１４の傾斜面１４ａの上部とを接着固定した点で、このように構成した配線ボックス１Ｂにしても、前記本発明を実施するための第１の形態と同様な作用効果が得られる。
【００２１】
図１７ないし図１９に示す本発明を実施するための第４の形態において、前記本発明を実施するための第３の形態と主に異なる点は、カバー体１０Ｂのビス挿入孔１１が形成された配線器具取付け片１２、１２、１２、１２のビス挿入孔１１、１１、１１、１１の外周部に螺旋溝２５、２５、２５、２５を形成し、該螺旋溝２５、２５、２５、２５に螺合するようにカバーチューブ１４、１４、１４、１４の傾斜面１４ａ、１４ａ、１４ａ、１４ａの上部を螺合固定させた点で、このように構成した配線ボックス１Ｃにしても、前記本発明を実施するための第３の形態と同様な作用効果が得られる。
【００２２】
図２０ないし図２３に示す本発明を実施するための第５の形態において、前記本発明を実施するための第１形態と主に異なる点は、拡開した上部にハの字状となるように一対の係止片２６、２６が形成されたカバーチューブ１４Ａを用いるとともにカバー体１０のビス挿入孔１１、１１が形成された配線器具取付け片１２、１２のビス挿入孔１１、１１の外周部に前記カバーチューブ１４Ａの一対の係止片２６、２６と該カバーチューブ１４Ａの上部をビス挿入孔１１、１１と連通するように挟着するコ字状の一対の挟着片２７、２７を用いた点で、このように構成した配線ボックス１Ｄにしても、前記本発明を実施するための第１の形態と同様な作用効果が得られる。
【００２３】
なお、前記カバーチューブ１４Ａの一対の係止片２６、２６とカバー体１０のコ字状の一対の挟着片２７、２７との挟着は、カバーチューブ１４Ａの上部をカバー体１０のビス挿入孔１１、１１と連通するように押し付けたところで、コ字状の一対の挟着片２７、２７を下方へ折り曲げて、該一対の挟着片２７、２７の内部に一対の係止片２６、２６が入り込ませることにより行う。
【００２４】
図２４ないし図２７に示す本発明を実施するための第６の形態において、前記本発明を実施するための第５形態と主に異なる点は、２個用の配線ボックス本体５Ｂと、この配線ボックス本体５Ｂの開口部５ｂの外周部を覆うとともに、内側の中央部に仕切り壁係止溝２８、２８が形成された２個用のカバー体１０Ｃと、このカバー体１０Ｃの仕切り壁係止溝２８、２８に両端部が挿入されて前記配線ボックス本体５Ｂを２分割する仕切り壁２９とを用いた点で、このように構成した配線ボックス１Ｅにしても、前記本発明を実施するための第５の形態と同様な作用効果が得られるとともに、配線ボックス本体５Ｂを仕切り壁２９で２分割して使用することができる。
【００２５】
なお、仕切り壁２９は図２６および図２７に示すように、前記仕切り壁係止溝２８、２８に両端部が挿入される厚さ寸法で、かつ該仕切り壁係止溝２８、２８に両端部が挿入された状態で上下方向に移動させることができるように形成された仕切り壁本体３０と、この仕切り壁本体３０の下部寄りの位置に高さ寸法が低い配線ボックス本体に使用する場合に折り曲げて切断することができるように形成された折り曲げ切断用溝３１と、前記仕切り壁本体３０の両端上部位置に形成された係止片３２、３２と、この一方の係止片３２の下部位置に位置するように形成された該一方の係止片３２方向に移動された場合にカバー体１０Ｃの底面に入り込むストッパー片３３とで構成されている。
【００２６】
図２８ないし図３１に示す本発明を実施するための第７の形態において、前記本発明を実施するための第６形態と主に異なる点は、３個用の配線ボックス本体５Ｃと、この配線ボックス本体５Ｃの開口部５ｃの外周部を覆うとともに、内側の中央部に仕切り壁係止溝２８、２８、２８、２８が形成された３個用のカバー体１０Ｄと、このカバー体１０Ｄの仕切り壁係止溝２８、２８、２８、２８に両端部が挿入されて前記配線ボックス本体５Ｃを３分割する仕切り壁２９、２９とを用いた点で、このように構成した配線ボックス１Ｆにしても、前記本発明を実施するための第５の形態と同様な作用効果が得られるとともに、配線ボックス本体５Ｃを仕切り壁２９、２９で３分割して使用することができる。
【００２７】
なお、仕切り壁２９、２９は図２６および図２７に示すように形成されたものを使用してもよく、あるいは図３０および図３１に示すように、前記仕切り壁係止溝２８、２８、２８、２８に両端部が挿入される厚さ寸法に形成された仕切り壁本体３０Ａと、この仕切り壁本体３０Ａの下部寄りの位置に高さ寸法が低い配線ボックス本体に使用する場合に、折り曲げて切断除去することができるように形成された折り曲げ切断用溝３１と、前記仕切り壁本体３０Ａの両端寄りの上部位置に上下方向に形成された切欠き部３４、３４と、この切欠き部３４、３４の内側上部位置を反対方向にまげて形成した弾性係止片３５、３５とで構成され、仕切り壁係止溝２８、２８、２８、２８に仕切り壁本体３０Ａ、３０Ａの両端部を挿入することにより、弾性係止片３５、３５、３５、３５が仕切り壁係止溝２８、２８、２８、２８の側面を弾性的に押し圧して係止される。
なお、本発明を実施する各実施の形態では金属材を用いて形成した配線ボックス本体やカバー体を用いるものについて説明したが、本発明はこれに限らず、配線ボックス本体に配線器具を取付けるためのナット筒が形成されていない合成樹脂材製の配線ボックス本体であれば、同様に使用することができる。
【産業上の利用可能性】
【００２８】
本発明は配線ボックスを製造する産業で利用される。
【符号の説明】
【００２９】
１、１Ａ、１Ｂ、１Ｃ、１Ｄ、１Ｅ、１Ｆ：配線ボックス、
２ａ：側壁、        ２ｂ：薄肉部、
３：ノック穴、      ３Ａ：ケーブル挿入孔、
４：ビス挿入孔、
５、５Ａ、５Ｂ、５Ｃ：配線ボックス本体、
５ａ：開口部、      ６：ねじ孔、
７：カバー取付け片、    ８：ビス、
９：ビス挿入孔、
１０、１０Ａ、１０Ｂ、１０Ｃ、１０Ｄ：カバー体、
１１：ビス挿入孔、      １２：配線器具取付け片、
１３：接着剤、      １４、１４Ａ：カバーチューブ、
１５：カバーチューブ挟着片、    １６：磁石、  
１７：設置部、      １８：ビス、
１９：電線ケーブル、    ２０：可撓管、
２１：耐火コネクタ、    ２２：壁板、
２３：孔、        ２４：配線器具、
２５：螺旋溝、                ２６：係止片、
２７：挟着片、                ２８：仕切り壁係止溝、
２９：仕切り壁、              ３０、３０Ａ：仕切り壁本体、
３１：折り曲げ切断用溝、      ３２：係止片、
３３：ストッパー片、          ３４：切欠き部、
３５：弾性係止片。
【図１】
2016046933.tif 000003
【図２】
2016046933.tif 000004
【図３】
2016046933.tif 000005
【図４】
2016046933.tif 000006
【図５】
2016046933.tif 000007
【図６】
2016046933.tif 000008
【図７】
2016046933.tif 000009
【図８】
2016046933.tif 000010
【図９】
2016046933.tif 000011
【図１０】
2016046933.tif 000012
【図１１】
2016046933.tif 000013
【図１２】
2016046933.tif 000014
【図１３】
2016046933.tif 000015
【図１４】
2016046933.tif 000016
【図１５】
2016046933.tif 000017
【図１６】
2016046933.tif 000018
【図１７】
2016046933.tif 000019
【図１８】
2016046933.tif 000020
【図１９】
2016046933.tif 000021
【図２０】
2016046933.tif 000022
【図２１】
2016046933.tif 000023
【図２２】
2016046933.tif 000024
【図２３】
2016046933.tif 000025
【図２４】
2016046933.tif 000026
【図２５】
2016046933.tif 000027
【図２６】
2016046933.tif 000028
【図２７】
2016046933.tif 000029
【図２８】
2016046933.tif 000030
【図２９】
2016046933.tif 000031
【図３０】
2016046933.tif 000032
【図３１】
2016046933.tif 000033